(57)【特許請求の範囲】
【請求項１】
それぞれ識別情報を有し、可視光通信で識別情報を発する複数の照明器具のうちの一の照明器具が発した識別情報を取得する取得部と、
前記複数の照明器具が配置された状態を示す配置画像を表示する表示部と、
前記取得部が前記一の照明器具が発した識別情報を取得したときに、当該識別情報と、前記表示部に表示された前記配置画像内の作業者に操作された領域とを関連付ける制御部と、を備え、
前記表示部は、前記複数の照明器具のそれぞれの位置と前記配置画像における複数の照明器具を示す領域のそれぞれの位置との位置関係を作業者に認識させるための図柄を前記配置画像に重畳して表示する
照明管理端末。
【請求項２】
前記取得部は、カメラであり、
前記表示部は、前記カメラの撮影によって得られる画像を前記配置画像として表示する
請求項１に記載の照明管理端末。
【請求項３】
さらに、記憶部を備え、
前記表示部は、前記記憶部に予め記憶された画像を前記配置画像として表示する
請求項１に記載の照明管理端末。
【請求項４】
さらに、記憶部を備え、
前記取得部は、カメラであり、
前記表示部は、
前記カメラの撮影によって得られる画像及び前記記憶部に予め記憶された画像のうちのどちらを前記配置画像とするかを作業者に選択させるための選択画像を表示し、
前記作業者の選択に応じて、前記カメラの撮影によって得られる画像及び前記記憶部に予め記憶された画像のうちのいずれか一方を前記配置画像として表示する
請求項１に記載の照明管理端末。
【請求項５】
前記図柄は、家具、扉及び窓のうちの少なくとも１つを示す
請求項１〜４のいずれか１項に記載の照明管理端末。
【請求項６】
さらに、前記複数の照明器具と通信する通信部を備え、
前記制御部は、前記一の照明器具が有する識別情報と前記領域とを関連付けるときに、前記通信部を介して当該一の照明器具を点滅させ、又は、当該一の照明器具の光量若しくは光色を変化させる
請求項１〜５のいずれか１項に記載の照明管理端末。
【請求項７】
それぞれ識別情報を有し、可視光通信で識別情報を発する複数の照明器具のうちの一の照明器具が発した識別情報を取得するステップと、
前記複数の照明器具が配置された状態を示す配置画像を表示するステップと、
前記取得するステップで前記一の照明器具が発した識別情報を取得したときに、当該識別情報と、前記表示するステップで表示した前記配置画像内の作業者に操作された領域とを関連付けるステップと、を含み、
前記表示するステップでは、前記複数の照明器具のそれぞれの位置と前記配置画像における複数の照明器具を示す領域のそれぞれの位置との位置関係を作業者に認識させるための図柄を前記配置画像に重畳して表示する
照明管理方法。
【発明の詳細な説明】
【技術分野】
【０００１】
本発明は、照明器具と、当該照明器具が配置された状態を示す配置画像とを関連付ける照明管理端末及び照明管理方法に関する。
【背景技術】
【０００２】
オフィス、事務所、倉庫又は工場等の広い空間には、天井に数多くの照明器具が設置される。近年、これらの各照明器具に無線の通信部が設けられ、各照明器具と通信する端末器具（スマートフォン、タブレット端末又はリモコン等）に表示された配置画像（部屋に照明器具が配置された状態を示す画像）への操作によって各照明器具のオン・オフ、調光又は調色等がされる照明システムが脚光を浴びている。例えば、配置画像内の所定の場所にある照明器具を示す領域が操作されることで、現実の部屋の所定の場所に対応する場所にある照明器具が制御される。これにより、柱等に設置されるスイッチボックス及びスイッチボックスと各照明器具とを接続する信号線等が不要になり、配線作業が大幅に簡素化できる。また、上述した広い空間を使用する者は、手元にある端末器具により照明器具を制御できるため、遠くに設置されたスイッチボックスまで出向く必要がなくなり、利便性が高まっている。特許文献１には、このような照明システムに関する技術が記載されている。
【先行技術文献】
【特許文献】
【０００３】
【特許文献１】特開２００７−２８１９４４号公報
【発明の概要】
【発明が解決しようとする課題】
【０００４】
しかしながら、例えば天井等への照明器具の設置後に行われる、照明器具と配置画像との関連付けには手間が掛かっていた。
【０００５】
そこで、本発明は、複数の照明器具と、当該複数の照明器具が配置された状態を示す配置画像とを容易に関連付けることができる照明管理端末及び照明管理方法を提供することを目的とする。
【課題を解決するための手段】
【０００６】
本発明の一態様に係る照明管理端末は、それぞれ識別情報を有し、可視光通信で識別情報を発する複数の照明器具のうちの一の照明器具が発した識別情報を取得する取得部と、前記複数の照明器具が配置された状態を示す配置画像を表示する表示部と、前記取得部が前記一の照明器具が発した識別情報を取得したときに、当該識別情報と、前記表示部に表示された前記配置画像内の作業者に操作された領域とを関連付ける制御部と、を備える。
【０００７】
本発明の一態様に係る照明管理方法は、それぞれ識別情報を有し、可視光通信で識別情報を発する複数の照明器具のうちの一の照明器具が発した識別情報を取得するステップと、前記複数の照明器具が配置された状態を示す配置画像を表示するステップと、前記取得するステップで前記一の照明器具が発した識別情報を取得したときに、当該識別情報と、前記表示するステップで表示した前記配置画像内の作業者に操作された領域とを関連付けるステップと、を含む。
【発明の効果】
【０００８】
本発明の一態様に係る照明管理端末及び照明管理方法によれば、複数の照明器具と、当該複数の照明器具が配置された状態を示す配置画像とを容易に関連付けることができる。
【図面の簡単な説明】
【０００９】
【図１Ａ】照明器具と配置画像との従来の関連付け方法の一例を説明するための図である。
【図１Ｂ】照明器具と配置画像との従来の関連付け方法の一例を説明するための図である。
【図２】実施の形態に係る照明管理端末の一例を示す構成図である。
【図３】実施の形態に係る照明管理端末の動作の一例を示すフローチャートである。
【図４】作業者が取得部に識別情報を取得させている様子を示す図である。
【図５】配置画像の選択の流れを説明する図である。
【図６】照明器具と配置画像との関連付けまでの流れを説明するための図である。
【発明を実施するための形態】
【００１０】
（発明の基礎となった知見）
以下、本発明の基礎となった知見について図１Ａ及び図１Ｂを用いて説明する。
【００１１】
図１Ａ及び図１Ｂは、照明器具と配置画像との従来の関連付け方法の一例を説明するための図である。
【００１２】
図１Ａには、照明器具と配置画像とを関連付けるための照明管理端末１ａが示される。照明管理端末１ａは例えばスマートフォンである。図１Ｂには配置画像に関連付けられる照明器具が設置された部屋１００が示される。図１Ｂは部屋１００を天井側から見た図であり、天井に設置された照明器具が示されている。照明管理端末１ａの表示部２０ａには、部屋１００における複数の照明器具が配置された状態を示す配置画像１００ａが表示されている。配置画像１００ａは、部屋１００を模擬した画像であり、部屋１００における複数の照明器具の配置に対応して複数の照明器具を示す領域（例えば領域１０１ａ等）が表されている。配置画像１００ａは、例えば部屋１００に設置された複数の照明器具の配置図面等である。配置画像１００ａ内の照明器具を示す領域と、実際に部屋１００に設置されている照明器具とが関連付けられる。
【００１３】
照明管理端末１ａは、部屋１００に設置されている全ての照明器具の識別情報を予め記憶しているとする。ただし、関連付けを行う作業者は、識別情報のそれぞれが、部屋１００のどの照明器具の識別情報であるかわかっていないため、予め記憶されている識別情報が部屋１００のどの照明器具の識別情報であるか、１つずつ確認していく。
【００１４】
部屋１００において、作業者は、照明管理端末１ａを操作することで、照明管理端末１ａに予め記憶されている複数の識別情報のうちの１つの識別情報を選択する。例えば、図１Ａに示されるように、識別情報として「１２３４５」が選択されたとする。これにより、照明管理端末１ａは、識別情報として「１２３４５」を有する照明器具を点灯させる信号を部屋１００に設置された照明器具へブロードキャストする。そして、当該信号を受信した、識別情報として「１２３４５」を有する照明器具は点灯する。したがって、作業者は、照明器具の点灯を確認することで識別情報として「１２３４５」を有する照明器具が部屋１００のどの場所に設置されている照明器具であるかがわかる。例えば、図１Ｂに示される照明器具１０１が点灯した場合、作業者は、照明管理端末１ａの表示部２０ａに表示された配置画像１００ａ内の、照明器具１０１に対応する照明器具を示す領域１０１ａを操作（例えばタップ）することで、照明器具１０１と領域１０１ａとが関連付けられる。作業者は、これを繰り返し行い部屋１００に設置された全ての照明器具と配置画像１００ａ内の各領域とを関連付けていき、照明器具と配置画像１００ａとを関連付ける。
【００１５】
しかし、部屋１００がオフィスのように広い部屋の場合、作業者は、照明器具と配置画像１００ａとの関連付けを容易にできないことがある。例えば、図１Ｂに示されるように、作業者が部屋１００の左下にいるとし、図１Ａに示されるように、識別情報として「１２３４５」が選択され、照明器具１０１が点灯したとする。このとき、作業者は、照明器具１０１が部屋１００の右上の方で光っているということしかわからず、実際に照明器具１０１の方へ近づくことで、照明器具１０１が部屋１００の右から２番目、上から２番目に設置されている照明器具であることがわかる。次に、別の識別情報が選択され、作業者が現在いる場所から遠くの場所にある例えば照明器具１０２が点灯した場合、再度、照明器具１０２の方へ近づいていく必要がある。このように、部屋１００が広く、照明器具の設置台数が例えば数１００台のように多い場合には、作業者は、部屋１００に設置されている複数の照明器具の関連付けのために歩き回ることになり、照明器具と配置画像１００ａとを関連付けるのに手間が掛かっていた。
【００１６】
そこで、本発明は、複数の照明器具と配置画像とを容易に関連付けることができる照明管理端末及び照明管理方法を提供する。
【００１７】
以下では、本発明の実施の形態について、図面を用いて詳細に説明する。なお、以下に説明する実施の形態は、いずれも本発明の好ましい一具体例を示すものである。従って、以下の実施の形態で示される数値、形状、構成要素、構成要素の配置及び接続形態、並びに、ステップ（工程）及びステップの順序等は、一例であり、本発明を限定する趣旨ではない。よって、以下の実施の形態における構成要素のうち、本発明の最上位概念を示す独立請求項に記載されていない構成要素については、任意の構成要素として説明される。
【００１８】
また、各図は、模式図であり、必ずしも厳密に図示されたものではない。また、各図において、同じ構成要素については同じ符号を付している。
【００１９】
（実施の形態）
以下、実施の形態について、図２から図６を用いて説明する。
【００２０】
［照明管理端末の構成］
図２は、実施の形態に係る照明管理端末の一例を示す構成図である。
【００２１】
照明管理端末１は、複数の照明器具と、当該複数の照明器具が配置された状態を示す配置画像とを関連付けるための端末である。照明管理端末１は、例えば、スマートフォン、タブレット端末又はリモコン等である。照明管理端末１が配置画像（配置画像内の照明器具を示す領域）と関連付ける照明器具は、例えばオフィス等の広い部屋に複数台設置されている照明器具である。複数の照明器具は、それぞれ固有の識別情報を有し、可視光通信で固有の識別情報を発する。つまり、複数の照明器具は、識別情報を含む光を出力する。識別情報は、複数の照明器具のそれぞれを識別するための情報（ＩＤ）であり、例えば番号等により構成される。なお、識別情報と配置画像とが関連付けられることで、配置画像を介して当該識別情報を有する照明器具が操作できるようになるため、識別情報と配置画像とを関連付けることを、照明器具と配置画像とを関連付けるとも言う。また、照明器具と、配置画像内の照明器具を示す領域とを関連付けることを、単に、照明器具と配置画像とを関連付けるとも言う。
【００２２】
照明管理端末１は、取得部１０、表示部２０、制御部３０、記憶部４０、通信部５０及び入力部６０を備える。
【００２３】
取得部１０は、照明器具が出力した光から識別情報を取得する例えばカメラである。取得部１０は、識別情報の取得だけでなく、一般的なカメラのように、撮影により画像を得ることもできる。
【００２４】
表示部２０は、例えばＬＣＤ（Ｌｉｑｕｉｄ  Ｃｒｙｓｔａｌ  Ｄｉｓｐｌａｙ）又は有機エレクトロルミネッセンス等のディスプレイである。本実施の形態では、表示部２０はタッチパネルディスプレイであり、表示部２０は入力部６０にもなり、表示された画像が作業者に操作される。以下では、表示部２０内での作業者の操作をタップ又はフリック等の操作とする。表示部２０は、後述する配置画像となる画像を選択させるための表示又は照明器具と配置画像とを関連付けさせるための表示等をする。
【００２５】
制御部３０は、照明器具と配置画像とを関連付ける処理を行うために、照明管理端末１が備える各構成要素を制御する。制御部３０は、記憶部４０に記憶された制御プログラムを実行するプロセッサ等により実現されるが、マイクロコンピュータ又は専用回路等により実現されてもよい。
【００２６】
記憶部４０は、プログラム及びデータを記憶しているＲＯＭ（Ｒｅａｄ  Ｏｎｌｙ  Ｍｅｍｏｒｙ）等の半導体メモリであり、例えばＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）等の不揮発性メモリである。記憶部４０は、例えばＵＳＢ（Ｕｎｉｖｅｒｓａｌ  Ｓｅｒｉａｌ  Ｂｕｓ）又はメール等により照明管理端末１外から受け付けたデータ（画像等）を予め記憶している。なお、記憶部４０は、取得部１０（カメラ）によって得られる画像を予め記憶してもよい。
【００２７】
通信部５０は、照明管理端末１が複数の照明器具と通信するためのインターフェースである。制御部３０は、通信部５０を介して、複数の照明器具のオン・オフ、調光又は調色等を制御する。
【００２８】
入力部６０は、例えばスイッチ、ボタン、ポインティングデバイス、マウス又はタッチパネルディスプレイ等の操作部である。
【００２９】
［照明管理端末の動作］
次に、照明管理端末１の動作について図３を用いて説明する。
【００３０】
図３は、実施の形態に係る照明管理端末１の動作の一例を示すフローチャートである。
【００３１】
まず、取得部１０は、それぞれ識別情報を有し、可視光通信で識別情報を発する複数の照明器具のうちの一の照明器具が発した識別情報を取得する（ステップＳ１１）。ステップＳ１１の動作については、後述する図４で詳細に説明する。
【００３２】
次に、表示部２０は、複数の照明器具が配置された状態を示す配置画像を表示する（ステップＳ１２）。配置画像は、取得部１０（カメラ）の撮影によって得られる画像又は記憶部４０に予め記憶された画像であり、どちらかの画像が作業者に選ばれて表示部２０に表示される。表示部２０が表示する配置画像の選ばれ方については、後述する図５で詳細に説明する。
【００３３】
そして、制御部３０は、取得部１０が一の照明器具が有する識別情報を取得したときに、当該識別情報と、表示部２０に表示された配置画像内の作業者に操作された領域とを関連付ける（ステップＳ１３）。ステップＳ１３の動作については、後述する図６で詳細に説明する。
【００３４】
次に、ステップＳ１１の詳細について図４を用いて説明する。
【００３５】
図４は、作業者が取得部１０に識別情報を取得させている様子を示す図である。図４では、照明管理端末１をスマートフォンとして示している。
【００３６】
取得部１０は、例えば、照明管理端末１（スマートフォン）が備えるカメラであり、取得部１０が複数の照明器具のうちの一の照明器具に向けられることで、取得部１０は当該一の照明器具が出力する光を撮影して識別情報を取得する。一の照明器具は、作業者が今から配置画像と関連付けをしようとしている１つの照明器具である。なお、後述する図６の上側の左端から３番目の図に示されるように、表示部２０には作業者が今から配置画像内の領域と関連付けをしようとしている照明器具に取得部１０（カメラ）を向けることを促す表示２２１がされている。例えば、作業者は、一の照明器具として図４に示される照明器具１１１を配置画像内の領域に関連付けるために、照明管理端末１を持って照明器具１１１の近く（例えば照明器具１１１の下方）に行き、取得部１０に照明器具１１１が出力する光を撮影させる。
【００３７】
なお、このとき、取得部１０は、他の照明器具（例えば照明器具１１２）が出力する光も撮影してしまうことがある。これに対して、取得部１０は、例えば、取得部１０が撮影している範囲の中心に近い照明器具の光から識別情報を取得する。例えば、取得部１０の撮影画面が表示部２０に表示されてもよく、作業者は、照明器具１１１が撮影画面の中心に表示されるように、照明管理端末１の向きを調整する。
【００３８】
また、例えば、作業者に表示部２０に表示された撮影画面内の複数の照明器具のうちのどの照明器具から識別情報を取得するかを選ばせてもよい。具体的には、撮影画面中の識別情報が取得可能な複数の照明器具に例えばＡＲ表示がそれぞれ重畳して表示させられ、取得部１０は、表示させられたＡＲ表示のうちの作業者が操作したＡＲ表示に対応する照明器具の識別情報を取得してもよい。
【００３９】
このようにして、取得部１０は、照明器具１１１が有する識別情報を取得する。そして、詳細は後述するが、照明器具１１１と配置画像内の照明器具を示す領域との関連付けが終わった後に、作業者は、関連付けをしたい別の照明器具の近くに行き、取得部１０に当該照明器具の識別情報を取得させる。例えば、図４に示されるように、作業者は、照明器具１１１の隣に設置されている照明器具１１２の近くに行き、照明器具１１２の識別情報の取得及び照明器具１１２と配置画像内の照明器具を示す領域との関連付けを行う。次に、作業者は、照明器具１１２の隣に設置されている照明器具１１３の近くに行き、照明器具１１３の識別情報の取得及び照明器具１１３と配置画像内の照明器具を示す領域との関連付けを行う。このように、作業者は、照明器具の設置間隔程度の移動をしながら、複数の照明器具の識別情報の取得及び複数の照明器具と配置画像内の各領域との関連付けを行う。
【００４０】
次に、表示部２０が表示する配置画像の選ばれ方について図５を用いて説明する。
【００４１】
図５は、配置画像の選択の流れを説明する図である。図５には、作業者の表示部２０への操作に応じた表示部２０の表示の変化が示されている。
【００４２】
図５の上側の左端の図に示されるように、表示部２０は、カメラの撮影によって得られる画像及び記憶部４０に予め記憶された画像のうちのどちらを配置画像とするかを作業者に選択させるための選択画像２０１を表示する。選択画像２０１には、作業者が操作できるアイコン２０１ａ及び２０１ｂが示されている。
【００４３】
選択画像２０１において、例えば「データインポート」と書かれたアイコン２０１ａが操作された場合、図５の上側の中央の図に示されるように、表示部２０は、作業者に、記憶部４０に予め記憶された画像の中から配置画像とする画像を選ばせるための画像２０２を表示する。画像２０２には、作業者が操作できるアイコン２０２ａが示されている。画像２０２において、例えば「参照」と書かれたアイコン２０２ａが操作されることで、作業者は、記憶部４０に予め記憶された画像の中から配置画像とする画像を選択することができる。
【００４４】
また、選択画像２０１において、例えば「カメラで撮影」と書かれたアイコン２０１ｂが操作された場合、図５の下側の中央の図に示されるように、表示部２０は、作業者にカメラの撮影をさせるために、カメラの撮影画面２０３と撮影ボタンのアイコン２０３ａとを表示する。これにより、作業者は、例えば照明器具の配置された状態を示す図面、又は、照明器具が設置された天井等をカメラで撮影する。
【００４５】
そして、記憶部４０に予め記憶された画像の中から配置画像とする画像が選択されるか、又は、カメラの撮影によって配置画像とする画像が得られることで、図５の上側の右端の図に示されるように、表示部２０は、配置画像が決定されたことを示す画像２０４を表示する。
【００４６】
このように、作業者は、カメラの撮影によって得られる画像及び記憶部４０に予め記憶された画像のうちから配置画像を選択することができる。
【００４７】
次に、ステップＳ１３の詳細について図６を用いて説明する。
【００４８】
図６は、照明器具と配置画像との関連付けまでの流れを説明するための図である。図６には、後述する配置画像への図柄の登録、識別情報の取得、そしてステップＳ１３の動作である照明器具と配置画像との関連付けが行われるときの表示部２０の表示の変化が示される。
【００４９】
図６の上側の左端の図に示されるように、表示部２０には、配置画像２０５が表示される。配置画像２０５には、現実の部屋に設置された複数の照明器具の配置状態に対応した複数の照明器具のそれぞれを示す領域２０５ａ〜２０５ｆが含まれる。しかし、作業者が配置画像２０５を見たときに、領域２０５ａ〜２０５ｆが部屋に設置された複数の照明器具のうちのどの照明器具に対応しているのか理解できないことがある。そこで、表示部２０は、図柄２１０ａ及び２１０ｂ、並びに、図柄２１０ａ及び２１０ｂの配置画像２０５への登録（配置画像２０５上への移動）を促す表示２２０を表示する。図柄２１０ａ及び２１０ｂは、部屋に設置された複数の照明器具のそれぞれの位置と配置画像２０５における複数の照明器具を示す領域２０５ａ〜２０５ｆのそれぞれの位置との位置関係を作業者に認識させるための図柄である。図柄２１０ａ及び２１０ｂは、例えば家具（オフィス家具）、扉及び窓のうちの少なくとも１つを示す図柄であり、図柄２１０ａは扉を示しており、図柄２１０ｂは机を示している。なお、図柄２１０ａ及び２１０ｂは、記憶部４０に予め記憶された、例えばＵＳＢ又はメール等により照明管理端末１外から受け付けた図柄であってもよい。
【００５０】
図６の上側の左端から２番目の図に示されるように、表示部２０は、図柄２１０ａ及び２１０ｂが作業者に操作されて配置画像２０５上に移動させられることで、図柄２１０ａ及び２１０ｂを配置画像２０５に重畳して表示する。
【００５１】
次に、図６の上側の左端から３番目の図に示されるように、表示部２０は、作業者が今から配置画像２０５と関連付ける照明器具に取得部１０（カメラ）を向けることを促す表示２２１を表示する。これにより、図４で説明したように、作業者は複数の照明器具のうちの一の照明器具の例えば下方に移動し、取得部１０を一の照明器具に向けて取得部１０に識別情報を取得させる。例えば、作業者は、配置画像２０５内の照明器具を示す領域２０５ａに対応する照明器具として図４に示される照明器具１１１に取得部１０を向けたとする。なお、取得部１０が識別情報を取得できていないときは、表示部２０は、識別情報が取得できてないことを示す表示２２２を表示する。
【００５２】
次に、図６の上側の右端の図に示されるように、取得部１０が識別情報を取得できているときは、表示部２０は、識別情報が取得できていることを示す表示２２４を表示する。なお、表示２２４には、例えば図１Ａに示されるような番号等の識別情報が表示されてもよい。また、表示部２０は、取得部１０が取得した識別情報を発した照明器具１１１と関連付けたい配置画像２０５内の照明器具を示す領域を操作するように促す表示２２３を表示する。
【００５３】
次に、図６の下側の左端の図に示されるように、作業者は、取得部１０を向けた照明器具１１１に対応する配置画像２０５内の照明器具を示す領域２０５ａを操作する。
【００５４】
このとき、取得部１０は、作業者が配置画像２０５内の領域２０５ａと関連付けようとしている照明器具１１１とは別の、例えば照明器具１１１の隣の照明器具１１２等が発する識別情報を取得していることがある。そこで、領域２０５ａに関連付けられる照明器具が作業者の望むものであるかを作業者に確認させるために、制御部３０は、一の照明器具が有する識別情報と領域２０５ａとを関連付けるときに、通信部５０を介して取得部１０が取得した識別情報を有する一の照明器具を点滅させ、又は、一の照明器具の光量若しくは光色を変化させる。ここでは、例えば、制御部３０は、通信部５０を介して取得部１０が取得した識別情報を有する一の照明器具を点滅させる。
【００５５】
次に、図６の下側の中央の図に示されるように、表示部２０は、関連付けようとしている照明器具１１１が点滅している照明器具で良いか確認する表示２２５と、作業者が操作できるアイコン２３０ａ及び２３０ｂと、関連付けようとしている領域２０５ａを明示する表示２２６を表示する。これにより、作業者は、表示２２６が重畳して表示させられている領域２０５ａと点滅している照明器具とが関連付けられてもよいかを確認できる。作業者は、領域２０５ａと点滅している照明器具とが関連付けられてもよい場合は、例えば「Ｙｅｓ」と書かれたアイコン２３０ａを操作する。また、作業者は、領域２０５ａと点滅している照明器具とが関連付けられないようにしたい場合には、例えば「Ｎｏ」と書かれたアイコン２３０ｂを操作する。
【００５６】
点滅している照明器具が照明器具１１１と異なっており、作業者がアイコン２３０ｂを操作した場合、表示部２０は、再度、図６の上側の左端から３番目の図に示されるものを表示する。作業者は、取得部１０を関連付けたい照明器具１１１により近付ける等して、取得部１０に照明器具１１１が発する識別情報をより確実に取得させる。
【００５７】
一方、点滅している照明器具が照明器具１１１であり、作業者がアイコン２３０ａを操作した場合、図６の下側の右端の図に示されるように、表示部２０は、領域２０５ａと取得部１０が取得した照明器具１１１の識別情報との関連付けが完了したことを示す表示２２７を表示する。
【００５８】
なお、配置画像２０５内の識別情報が関連付けられる範囲は、例えば、配置画像２０５内で作業者がタップした点を中心とする予め定められた範囲であってもよい。また、領域２０５ａにおいて識別情報が関連付けられる範囲は、例えば、配置画像２０５内で作業者が配置画像２０５内でスワイプした（なぞった）範囲であってもよい。
【００５９】
そして、表示部２０は、再度、図６の上側の左端から３番目の図に示されるものを表示し、作業者は、図４に示されるように、関連付けをしたい別の照明器具（例えば照明器具１１２）の近く（例えば下方）に行き、取得部１０に照明器具１１２の識別情報を取得させる。
【００６０】
このようにして、制御部３０は、取得部１０が一の照明器具が発した識別情報を取得したときに、当該識別情報と、表示部２０に表示された配置画像２０５内の作業者に操作された領域とを関連付けていく。
【００６１】
なお、複数の照明器具の識別情報が関連付けられた配置画像２０５のデータは、記憶部４０に記憶される。そして、例えば、配置画像２０５のデータは、複数の照明器具が設置されている部屋を使用するユーザの端末器具（スマートフォン等）に送信される。配置画像２０５内の照明器具を示す領域において識別情報が関連付けられた範囲は、例えばアイコンのように振る舞うため、ユーザは携帯端末に表示される配置画像２０５を操作して、複数の照明器具を制御することができるようになる。
【００６２】
［効果等］
従来、照明器具の設置後に行われる、複数の照明器具と、当該複数の照明器具が配置された状態を示す配置画像との関連付けには手間が掛かっていた。
【００６３】
そこで、本実施の形態に係る照明管理端末１は、それぞれ識別情報を有し、可視光通信で識別情報を発する複数の照明器具のうちの一の照明器具が発した識別情報を取得する取得部１０と、複数の照明器具が配置された状態を示す配置画像２０５を表示する表示部２０と、を備える。また、照明管理端末１は、取得部１０が一の照明器具が発した識別情報を取得したときに、当該識別情報と、表示部２０に表示された配置画像２０５内の作業者に操作された領域とを関連付ける制御部３０を備える。
【００６４】
本実施の形態に係る照明管理方法は、それぞれ識別情報を有し、可視光通信で識別情報を発する複数の照明器具のうちの一の照明器具が発した識別情報を取得するステップと、複数の照明器具が配置された状態を示す配置画像２０５を表示するステップと、を含む。また、照明管理方法は、取得するステップで前記一の照明器具が発した識別情報を取得したときに、当該識別情報と、表示するステップで表示した配置画像２０５内の作業者に操作された領域とを関連付けるステップを含む。
【００６５】
これにより、複数の照明器具のうちの一の照明器具として、作業者が関連付けたい照明器具の識別情報を配置画像２０５に関連付けしていくことができる。例えば、複数の照明器具が部屋の天井に設置されている場合、作業者は、例えば部屋の端の照明器具の下方の位置からスタートして隣の照明器具の下方の位置へと順番に部屋内を移動していく。このとき、それぞれの照明器具の下方の位置において、取得部１０は可視光通信によって識別情報を取得し、制御部３０は、取得部１０が取得した識別情報と配置画像２０５内の作業者に操作された照明器具を示す領域とを関連付ける。つまり、それぞれの照明器具の下方の位置において、それぞれの照明器具と、配置画像２０５内のそれぞれの照明器具に対応する領域との関連付けがされる。したがって、従来のように部屋内を行ったり来たりして歩き回る必要がなく、例えば複数の照明器具の並んでいる順番に移動していくだけで複数の照明器具と配置画像２０５とを容易に関連付けることができ、作業効率が向上する。
【００６６】
また、取得部１０は、カメラであり、表示部２０は、カメラの撮影によって得られる画像を配置画像２０５として表示する。
【００６７】
これにより、取得部１０は、識別情報の取得と、一般的な撮影との両方を行うことができる。また、記憶部４０に配置画像２０５にするための画像が記憶されていない場合でも、例えば照明器具の配置図面又は照明器具が設置された天井等を撮影したときの画像を配置画像２０５とすることができる。
【００６８】
また、照明管理端末１は、さらに、記憶部４０を備え、表示部２０は、記憶部４０に予め記憶された画像を配置画像２０５として表示する。
【００６９】
これにより、ＵＳＢ又はメール等により照明管理端末１外から受け付けて、予め記憶部４０に記憶された画像を配置画像２０５とすることができる。
【００７０】
また、照明管理端末１は、さらに、記憶部４０を備え、取得部１０は、カメラであり、表示部２０は、カメラの撮影によって得られる画像及び記憶部４０に予め記憶された画像のうちのどちらを配置画像２０５とするかを作業者に選択させるための選択画像２０１を表示する。そして、表示部２０は、作業者の選択に応じて、カメラの撮影によって得られる画像及び記憶部４０に予め記憶された画像のうちのいずれか一方を配置画像２０５として表示する。
【００７１】
これにより、取得部１０は、識別情報の取得と、一般的な撮影との両方を行うことができる。また、作業者は、状況に応じて、カメラの撮影によって得られる画像及び記憶部４０に予め記憶された画像のうちのいずれか一方を配置画像２０５とすることができる。例えば、記憶部４０に照明器具の配置図面等のデータが記憶されている場合は、当該データを配置画像２０５とし、記憶部４０に照明器具の配置図面等のデータが記憶されていない場合は、カメラの撮影によって配置画像２０５となる画像を得ることができる。
【００７２】
また、表示部２０は、複数の照明器具のそれぞれの位置と配置画像２０５における複数の照明器具を示す領域のそれぞれの位置との位置関係を作業者に認識させるための図柄２１０ａ及び２１０ｂを配置画像２０５に重畳して表示する。
【００７３】
また、図柄２１０ａ及び２１０ｂは、家具、扉及び窓のうちの少なくとも１つを示す。
【００７４】
これにより、部屋に設置されている家具（オフィス家具）、扉又は窓等を示す図柄２１０ａ及び２１０ｂが配置画像２０５に重畳して表示されることで、配置画像２０５が部屋をより正確に表したものになる。したがって、作業者は、複数の照明器具のそれぞれの位置と配置画像２０５における複数の照明器具を示す領域のそれぞれの位置との位置関係を容易に認識できるため、複数の照明器具と配置画像２０５との関連付けをしやすくなる。また、複数の照明器具との関連付けがされた配置画像２０５は、複数の照明器具が設置された部屋を使用するユーザの携帯端末等で使用される。したがって、複数の照明器具が設置された部屋を使用するユーザは、複数の照明器具のそれぞれの位置と配置画像２０５における複数の照明器具を示す領域のそれぞれの位置との位置関係を容易に認識できるため、配置画像２０５による複数の照明器具の制御がしやすくなる。
【００７５】
また、照明管理端末１は、さらに、複数の照明器具と通信する通信部５０を備え、制御部３０は、一の照明器具が有する識別情報と領域とを関連付けるときに、通信部５０を介して一の照明器具を点滅させ、又は、一の照明器具の光量若しくは光色を変化させる。
【００７６】
これにより、作業者は、配置画像２０５に関連付けられる照明器具が作業者の望むものであるかを照明器具の点滅、又は、照明器具の光量若しくは光色の変化により目視で確認することができるため、照明器具と配置画像２０５との関連付けがより確実なものとなる。
【００７７】
（その他の実施の形態）
以上、実施の形態に係る照明管理端末１及び照明管理方法について説明したが、本発明は、上記実施の形態に限定されるものではない。
【００７８】
例えば、上記実施の形態では、取得部１０は、カメラであるが、これに限らない。例えば、取得部１０は、フォトダイオード等の光センサであってもよい。ただし、この場合には、カメラの撮影によって画像が得られないため、記憶部４０に配置画像２０５となる画像が予め記憶されているか、または、照明管理端末１はさらにカメラを備える必要がある。
【００７９】
例えば、上記実施の形態では、表示部２０は、タッチパネルディスプレイであったが、これに限らない。例えば、表示部２０は、タッチパネルディスプレイ等のタッチ操作ができるものでなくてもよい。この場合、作業者の表示部２０への操作は入力部６０（例えばマウス又はポインティングデバイス等）を介して行われる。
【００８０】
また、本発明は、照明管理端末１として実現できるだけでなく、照明管理端末１を構成する各構成要素が行うステップ（処理）を含む方法として実現できる。
【００８１】
例えば、それらのステップは、コンピュータ（コンピュータシステム）によって実行されてもよい。そして、本発明は、それらの方法に含まれるステップを、コンピュータに実行させるためのプログラムとして実現できる。さらに、本発明は、そのプログラムを記録したＣＤ−ＲＯＭ等である非一時的なコンピュータ読み取り可能な記録媒体として実現できる。
【００８２】
例えば、本発明が、プログラム（ソフトウェア）で実現される場合には、コンピュータのＣＰＵ、メモリおよび入出力回路等のハードウェア資源を利用してプログラムが実行されることによって、各ステップが実行される。つまり、ＣＰＵがデータをメモリまたは入出力回路等から取得して演算したり、演算結果をメモリまたは入出力回路等に出力したりすることによって、各ステップが実行される。
【００８３】
また、上記実施の形態の照明管理端末１に含まれる制御部３０は、専用または汎用の回路として実現されてもよい。
【００８４】
また、上記実施の形態の照明管理端末１に含まれる制御部３０は、集積回路（ＩＣ：Ｉｎｔｅｇｒａｔｅｄ  Ｃｉｒｃｕｉｔ）であるＬＳＩ（Ｌａｒｇｅ  Ｓｃａｌｅ  Ｉｎｔｅｇｒａｔｉｏｎ）として実現されてもよい。
【００８５】
また、集積回路はＬＳＩに限られず、専用回路または汎用プロセッサで実現されてもよい。プログラム可能なＦＰＧＡ（Ｆｉｅｌｄ  Ｐｒｏｇｒａｍｍａｂｌｅ  Ｇａｔｅ  Ａｒｒａｙ）、または、ＬＳＩ内部の回路セルの接続および設定が再構成可能なリコンフィギュラブル・プロセッサが、利用されてもよい。
【００８６】
さらに、半導体技術の進歩または派生する別技術によりＬＳＩに置き換わる集積回路化の技術が登場すれば、当然、その技術を用いて、照明管理端末１に含まれる制御部３０の集積回路化が行われてもよい。
【００８７】
その他、実施の形態に対して当業者が思いつく各種変形を施して得られる形態や、本発明の趣旨を逸脱しない範囲で各実施の形態における構成要素及び機能を任意に組み合わせることで実現される形態も本発明に含まれる。
【符号の説明】
【００８８】
１、１ａ  照明管理端末
１０  取得部
２０、２０ａ  表示部
３０  制御部
４０  記憶部
５０  通信部
１０１、１０２、１１１、１１２、１１３  照明器具
１０１ａ、１０２ａ、２０５ａ〜２０５ｆ  領域
２０１  選択画像
２０５  配置画像
２１０ａ、２１０ｂ  図柄
【図１Ａ】
0006646843.tif 000002
【図１Ｂ】
0006646843.tif 000003
【図２】
0006646843.tif 000004
【図３】
0006646843.tif 000005
【図４】
0006646843.tif 000006
【図５】
0006646843.tif 000007
【図６】
0006646843.tif 000008